(57)【要約】      （修正有）【課題】遮断ガスに対する改善された気密性を呈する取り外し可能な電流スイッチング要素を提供する。【解決手段】互いに反対側の第１の底板と第２の底板５０が設けられたハウジングと、前記第１の底板に固く接続された固定電気接点３４と、前記固定電気接点３４に対して移動可能な電気的可動接点３６であって、前記第２の底板に対して並進移動可能な可動接点ホルダによって支持された可動接点とを備え、前記ハウジングは、前記電気的可動接点の周囲において前記第２の底板から前記第２の底板に直交する方向Ｘ、Ｘ’に沿って延在した絶縁壁８０を備え、前記ハウジングは、前記絶縁壁８０の内面を少なくとも部分的に覆う保護壁８４であって、前記第２の底板５０と共に単一部品として形成された保護壁を更に含む。【選択図】図３
2018195579.tif 000002
【特許請求の範囲】
【請求項１】
取り外し可能な電流スイッチング要素（６）であって、
互いに反対側の第１の底板（２４）と第２の底板（５０）が設けられたハウジングと、
前記第１の底板（２４）に固く接続された固定電気接点（３４）と、
前記固定電気接点（３４）に対して移動可能な電気的可動接点（３６）であって、前記第２の底板（５０）に対して並進移動可能な可動接点ホルダ（５４）によって支持された可動接点（３６）と、を備え、
前記ハウジングは、前記電気的可動接点（３６）の周囲において前記第２の底板（５０）から前記第２の底板（５０）に直交する方向（Ｘ、Ｘ’）に沿って延在した絶縁壁（８０）を備え、
前記ハウジングは、前記絶縁壁（８０）の内面を少なくとも部分的に覆う保護壁（８４）であって、前記第２の底板（５０）と共に単一部品として形成された保護壁（８４）を更に含む、ことを特徴とする取り外し可能な電流スイッチング要素（６）。
【請求項２】
前記保護壁（８４）は、前記第２の底板（５０）に直交する前記方向（Ｘ、Ｘ’）に沿って前記絶縁壁（８０）の末端を囲む折り重ねエッジ（８６）を含む、ことを特徴とする請求項１に記載の取り外し可能なスイッチング要素（６）。
【請求項３】
前記ハウジングは、互いに区別される第１の部分（２０）と第２の部分（２２）とを含み、前記第１のハウジング部分（２０）は前記第１の底板（２４）を含み、前記第２のハウジング部分は前記第２の底板（５０）を含み、かつ前記可動ブリッジ（５４）を収納し、前記第１のハウジング部分（２０）および前記第２のハウジング部分（２２）は互いに分離可能である、ことを特徴とする請求項１または２に記載の取り外し可能なスイッチング要素（６）。
【請求項４】
前記第１のハウジング部分（２０）および前記第２のハウジング部分（２２）は分離可能であり、かつアタッチメント部材（４４、６２）を含み、前記アタッチメント部材（４４、６２）は前記第１のハウジング部分（２０）および前記第２のハウジング部分（２２）を互いに固く接続するために相補的である、ことを特徴とする請求項３に記載の取り外し可能なスイッチング要素（６）。
【請求項５】
前記第２のハウジング部分（２２）は、前記可動接点ホルダ（５４）が並進移動することを可能にする案内部（６４）を含み、前記案内部（６４）は、この目的のために、前記第１のハウジング部分の側壁（６６）に作製された直線で囲まれた窓（６８）と、前記可動ブリッジ（５４）に支持された少なくとも１つのフック（７２）とを含み、当該フック（７２）は、前記窓（６８）に挿入される、ことを特徴とする請求項３または４に記載の取り外し可能なスイッチング要素（６）。
【請求項６】
前記保護壁（８４）は、ガス発生材料で作製されている、ことを特徴とする請求項１〜５のいずれか一項に記載の取り外し可能なスイッチング要素（６）。
【請求項７】
前記第２の底板（５０）は、遮断ガスを取り除くための少なくとも１つのチャネル（７４）であって、前記ハウジング内の前記絶縁壁（８０）によって画定された容積と連通した入口開口を、前記ハウジングの外部と連通した出口開口に流体的に接続するチャネル（７４）を包含する、ことを特徴とする請求項１〜６のいずれか一項に記載の取り外し可能なスイッチング要素（６）。
【請求項８】
前記保護壁（８４）は、前記第２の底板（５０）に直交する前記方向（Ｘ、Ｘ’）に沿って、前記絶縁壁（８０）の全高さに渡って延在する、ことを特徴とする請求項１〜７のいずれか一項に記載の取り外し可能なスイッチング要素（６）。
【請求項９】
前記絶縁壁（８０）は、前記第２の底板（５０）に取り付けられたブロー部品（８２）によって少なくとも部分的に形成されている、ことを特徴とする請求項１〜８のいずれか一項に記載の取り外し可能なスイッチング要素（６）。
【請求項１０】
電流をスイッチングするための電気スイッチギヤ（２）であって、
１つ以上のハウジング（８、８’、８’’）を含むベースプレート（４）と、
前記ベースプレートの前記ハウジング（８、８’、８’’）の１つに収納されるようになっている取り外し可能な電流スイッチング要素（６）であって、前記取り外し可能なスイッチング要素（６）の前記固定電気接点（３４）が前記スイッチング装置の接続ランドに電気的に接続される、取り外し可能な電流スイッチング要素（６）と、を備え、
前記取り外し可能なスイッチング要素（６）は、請求項１〜９のいずれか一項に記載されている、ことを特徴とする電気スイッチギヤ（２）。
【発明の詳細な説明】
【技術分野】
【０００１】
本発明は、電気スイッチギヤのための取り外し可能な電気スイッチング要素に関する。また本発明は、当該取り外し可能なスイッチング要素を備えた電流をスイッチングするための電気スイッチングギヤに関する。
【背景技術】
【０００２】
接触器のような電流をスイッチングするための電気装置が知られており、これらの装置は、装置のベースプレート内のハウジングに挿入される１つ以上の取り外し可能なスイッチング要素を含む。これらの取り外し可能な要素は、時にスイッチングバルブとして知られている。このような取り外し可能な要素は、例えば、文献ＦＲ２，９９９，７９０に記載されている。
【０００３】
一般に、各取り外し可能な要素は、電気装置の接続ランドに接続され、これらのランド間の電流の流れを選択的に遮断するために動作する。こうするため、各取り外し可能な要素は、分離可能な電気導体を含む。電気導体の移動は、専用のアクチュエータによって制御される。アクチュエータは、電流の流れを遮断または許可するために固定電気接点に対する開位置と閉位置との間で電気導体を移動させる。
【０００４】
このような取り外し可能な要素の１つの利点は、これらは交換可能であり、それゆえメンテナンス作業の間や故障の場合に取り替えることが容易なことである。
【０００５】
しかしながら、これらの知られた取り外し可能な要素は、完全に満足のいくものではない。特に、電流が流れている間に電気接点が分離されたとき、これらの接点間で電気アークが現れる。電気アークは、周囲空気をイオン化し、遮断ガスを発生させる。遮断ガスは、冷却されて、この目的のために特別に作製された除去チャネルを介して、スイッチング要素から除去されなければならない。ある知られた取り外し可能な要素は、この点において不十分な気密性を呈している。それは、冷却が不十分な遮断ガスの漏れを引き起こし、接続ランド間で望ましくない再アーク化を促進する。そのとき、スイッチング装置の安全性は減少する。
【発明の概要】
【発明が解決しようとする課題】
【０００６】
本発明は、特にこれらの欠点を、電気スイッチギヤのための取り外し可能な電流スイッチング要素であって、遮断ガスに対する改善された気密性を呈する取り外し可能な要素を提供することによって、克服することを目的とする。
【課題を解決するための手段】
【０００７】
この目的のため、本発明は、
‐互いに反対側の第１の底板と第２の底板が設けられたハウジングと、
‐前記第１の底板に固く接続された固定電気接点と、
‐前記固定電気接点に対して移動可能な電気的可動接点であって、前記第２の底板に対して並進移動可能な可動接点ホルダによって支持された可動接点と、を備え、
前記ハウジングは、前記電気的可動接点の周囲において前記第２の底板から前記第２の底板に直交する方向に沿って延在した絶縁壁を備える、
取り外し可能な電流スイッチング要素に関する。
【０００８】
本発明によれば、前記ハウジングは、前記絶縁壁の内面を少なくとも部分的に覆う保護壁であって、前記第２の底板と共に単一部品として形成された保護壁を更に含む。
【０００９】
本発明によれば、保護壁を第２の底板と共に単一部品として形成することによって、絶縁壁の気密性と同様に、これらの壁の気密性が改善される。それゆえ、遮断ガスの漏れは制限される。この良い水準の気密性によれば、遮断ガスは、除去チャネルを介して優先的に取り除かれ、こうして取り外し可能な要素の外部への電流のループバック（ｌｏｏｐｂａｃｋ）のおそれが制限される。
【００１０】
本発明のいくつかの有利ではあるが必須ではない態様によれば、このような取り外し可能な要素は、以下の特徴を、単独でもまたは技術的に許容される組合せでも、１つ以上組み込んでもよい。
【００１１】
‐前記保護壁は、前記第２の底板に直交する前記方向に沿って前記絶縁壁の末端を囲む折り重ねエッジを含む。
【００１２】
‐前記ハウジングは、互いに区別される第１の部分と第２の部分とを含み、前記第１のハウジング部分は前記第１の底板を含み、前記第２のハウジング部分は前記第２の底板を含み、かつ前記可動ブリッジを収納し、前記第１のハウジング部分および前記第２のハウジング部分は互いに分離可能である。
【００１３】
‐前記第１のハウジング部分および前記第２のハウジング部分は分離可能であり、かつアタッチメント部材を含み、前記アタッチメント部材は前記第１のハウジング部分および前記第２のハウジング部分を互いに固く接続するために相補的である。
【００１４】
‐前記第２のハウジング部分は、前記可動接点ホルダが並進移動することを可能にする案内部を含み、前記案内部は、この目的のために、前記第１のハウジング部分の側壁に作製された直線で囲まれた窓と、前記可動ブリッジに支持された少なくとも１つのフックとを含み、当該フックは、前記窓に挿入される。
【００１５】
‐前記保護壁は、ガス発生材料（ｇａｓｏｇｅｎｉｃ  ｍａｔｅｒｉａｌ）で作製されている。
【００１６】
‐前記第２の底板は、遮断ガスを取り除くための少なくとも１つのチャネルであって、前記ハウジング内の前記絶縁壁によって画定された容積と連通した入口開口を、前記ハウジングの外部と連通した出口開口に流体的に接続するチャネルを包含する。
【００１７】
‐前記保護壁は、前記第２の底板に直交する前記方向に沿って、前記絶縁壁の全高さに渡って延在する。
【００１８】
‐前記絶縁壁は、前記第２の底板に取り付けられたブロー部品（ｂｌｏｗ  ｐｉｅｃｅ）によって少なくとも部分的に形成されている。
【００１９】
他の態様によれば、本発明は、１つ以上のハウジングを含むベースプレートと、前記ベースプレートの前記ハウジングの１つに収納されるようになっている取り外し可能な電流スイッチング要素であって、前記取り外し可能なスイッチング要素の前記固定電気接点が前記スイッチギヤの接続ランドに電気的に接続される、取り外し可能な電流スイッチング要素と、を備え、前記電流スイッチング要素は上述したようなものである、電流をスイッチングするための電気スイッチギヤに関する。
【００２０】
添付図面を参照しながら単に例として提供される取り外し可能なスイッチング要素の一実施形態の以下の説明を踏まえると、本発明はより良く理解され、本発明の他の利点はより明らかになるであろう。
【図面の簡単な説明】
【００２１】
【図１】図１は、本発明による取り外し可能なスイッチング要素を含む電気スイッチギヤの概略斜視図である。
【図２】図２は、互いに分離した図１の取り外し可能なスイッチング要素の第１の部分および第２の部分の概略縦断面図である。
【図３】図３は、図１および図２の電気スイッチング要素の概略分解斜視図である。
【図４】図４は、図１から図３の取り外し可能なスイッチング要素の第２の部分の概略分解斜視図である。
【図５】図５は、図４の取り外し可能なスイッチング要素の第２のハウジング部分の概略正面図である。
【発明を実施するための形態】
【００２２】
図１は、産業用接触器のような電流をスイッチングするための電気スイッチギヤ２を示す。電気装置２は、例えば、電気モータに電力を供給するための電力供給ラインに接続されるようになっている。
【００２３】
電気装置２の機能は、例えば多相ＡＣ電流のような、１つ以上の電流導体を介して流れる電流を選択的に遮断することである。
【００２４】
ここで電気装置２は、例えば電気スイッチボードに備え付けられるようになっている、ベースプレート４と、ここでは“スイッチングバルブ”と称される、１つ以上の取り外し可能な電流スイッチング要素６とを含む。各取り外し可能な要素６は、電流、例えば多相電流の一の電気位相、を遮断することに適している。
【００２５】
また電気装置２は、取り外し可能な要素６を制御するためにベースプレート４の前面に収納されるようになっている制御アクチュエータ（不図示）を含む。
【００２６】
図示の本実施例では、電気装置２は、３つの電気位相を含む三相交流を遮断することに適している。それゆえ電気装置２は、３つの取り外し可能な要素６を収納することに適しており、各取り外し可能な要素６が、これらの電気位相の１つと関連付けられている。
【００２７】
ここでベースプレート４は、３つの符号が付けられた、互いに同一のハウジング８、８’、８’’を含む。各ハウジング８、８’、８’’は、取り外し可能な要素６を収納することに適している。それゆえ、ハウジング８、８’、８’’は、取り外し可能な要素６に対して相補的な形状になっている。
【００２８】
ここでハウジング８、８’、８’’は、好ましくは、樹脂材料のような電気絶縁材料で作製された分離壁１０によって対になるように分離されている。ここで分離壁１０は、取り外し可能な要素６の挿入を案内するための溝１２を含む。
【００２９】
変形例として、取り外し可能な要素６の数は異なっていてもよい。そのときベースプレート４は、それに応じて適応される。
【００３０】
図１を簡略化するため、取り外し可能な要素６の１つの例のみが図示されている。本実施例では、取り外し可能な要素６は、互いに同一である。取り外し可能な要素６は、ハウジング８内に収納されて図示されている。
【００３１】
図２および図３に図示されるように、取り外し可能な要素６は、第１の部分２０と第２の部分２２とによって形成されるハウジングを含む。後に詳細に説明されるように、これらの第１の部分２０と第２の部分２２は、ここでは区別されており、互いに分離可能である。
【００３２】
前側部分とも称される第１の部分２０は、第１の底板２４を含む。第１の底板２４は、取り外し可能な要素６の実質的に平坦な前面２６を形成する。前面２６には、貫通窓２８が設けられている。
【００３３】
前側部分２０は、接続端子３０を更に含む。接続端子３０は、底板２４に取り付けられており、取り外し可能な要素６を電気回路に接続するように、装置２の電気接続ランドに接続されるようになっている。ここで、これらの端子３０は２つを数え、互いに電気的に絶縁されている。
【００３４】
例えば、端子３０は、前側部分２０の内部からその外部まで延在し、留めねじ３２によって接続ランドに固定保持されている。これらの端子３０は、固定電気接点３４を含む。固定電気接点３４は、取り外し可能な要素６の電気的可動接点３６と協働するようになっている。ここで、これらの固定接点３４は、前側部分２０内に収納されている。
【００３５】
本実施例では、前側部分２０は、長軸Ｚに沿って延びた長方形（ｏｂｌｏｎｇ）の形状をしている。ここでＺ軸は、取り外し可能な要素６がベースプレート４内に収納されたときの垂直方向に対応する。例えば、２つの端子３０は、このＺ軸に平行に延在する。
【００３６】
“Ｘ”は、前面２６と前側部分２０の長軸Ｚとに直交する軸を示している。“Ｙ”は前側部分２０の横軸を示しており、この横軸ＹはＸ軸とＺ軸とに直交する。
【００３７】
ここで前側部分２０は、Ｙ軸に直交した、前側部分２０の長手中央平面のいずれかの側に平行に延在する側壁３８を含む。ここで側壁３８には、側部空間４６が設けられている。
【００３８】
更に、前側部分２０は、上部壁４０と下部壁４２とを含んでおり、上部壁４０と下部壁４２は、Ｘ軸とＹ軸とに平行な横中央平面に平行に延在する。これらの壁４０および壁４２は、アタッチメント部材４４を支持しており、アタッチメント部材４４の役割は、後に詳細に記載される。
【００３９】
前側部分２０の壁３８、壁４０、および壁４２によって確定される内部容積は、“４８”に示される。
【００４０】
図２から図５に図示されるように、ハウジングの後側部分２２は、第２の底板５０を含む。第２の底板５０は、ここでは取り外し可能な要素６の実質的に平坦な背面５２を形成する。
【００４１】
取り外し可能な要素６の組立形態において、後側部分２２は、前側部分２０の容積４８内に収納されている。そのとき底板２４と底板５０は、反対側で互いに対向している。
【００４２】
本実施形態では、前側部分２０と後側部分２２は、好ましくは取り外し可能な要素６がベースプレート４の外側に配置されているときに、互いに可逆的に分離可能である。これにより、特に、例えば予防的なメンテナンス作業の間に、作業者が電気接点３４、３６の摩耗を評価するために電気接点３４、３６を検査することが可能になる。
【００４３】
しかしながら、変形例として、部分２０と部分２２が互いに恒久的に溶着されていてもよい。
【００４４】
後側部分２２は、縦軸Ｚ’に沿って延びた長方形の形状をしている。図３では、“Ｘ’”は、“Ｚ’”軸と背面５２とに直交する軸を示している。更に、“Ｙ’”は、Ｘ’軸とＺ’軸とに直交して延在する縦軸を示している。
【００４５】
取り外し可能な要素６の組立形態において、Ｚ軸とＺ’軸は、互いに統合される。Ｘ軸とＸ’軸、Ｙ軸とＹ’軸についても同様である。
【００４６】
後側部分２２は、可動接点３６を含む。ここで、これらの可動接点３６は２つを数え、互いに電気的に接続されている。
【００４７】
取り外し可能な要素６の組立形態において、可動接点３６は、対応する固定接点３４に対向して位置している。可動接点３６は、互いに区別される開位置と閉位置との間で、固定接点３４に対して選択的かつ可逆的に移動可能である。ここで、この移動は、Ｘ’軸に平行な移動の方向に沿って並進して行われる。
【００４８】
開位置において、電気接点３４と電気接点３６は、互いに離間しており、それゆえ周囲空気によって互いに電気的に絶縁されている。閉位置において、接点３４の各々は対応する可動接点３６と接触し、電流が２つの端子３０の間を流れることを許可する。
【００４９】
この移動を可能にするため、本実施例では、後側部分２２は、底板５０に対してＸ’軸に沿って並進移動可能な可動接点ホルダ５４を含む。この可動接点ホルダ５４は、把持部材５６と電気的導体要素５８とを含み、これらは合わせて可動ブリッジと称され、ここでは平板の形状をしており、可動接点３６を互いに接続する。
【００５０】
把持部材５６は、開位置と閉位置との間で可動接点３６の移動を駆動するために、スイッチギヤ２のアクチュエータに機械的に結合するようになっている。取り外し可能な要素６の組立形態において、窓２８は、把持部材５６の通過を可能にしている。
【００５１】
例えば、可動接点ホルダ５４は、要素５８に固く接続されて把持部材５６が取り付けられた電気絶縁材料で作製された胴体を含む。ここで把持部材５６は、ねじ頭である。
【００５２】
また可動接点ホルダ５４は、螺旋ばねのような弾性復帰部材６０を含む。弾性復帰部材６０は、装置２のアクチュエータによって力が与えられていないときに可動接点３６を開位置に復帰するように、移動の方向Ｘ’に沿って、可動ブリッジ５８に復帰力を与えるために配置されている。
【００５３】
図示の本実施例によれば、ここでは可動接点３６は、Ｚ’軸に沿って可動ブリッジ５８のいずれかの側に位置しており、この可動ブリッジ５８は、後側部分２２内の中央位置を占めている。
【００５４】
本実施形態では、また後側部分２２は、アタッチメント部材６２を含む。アタッチメント部材６２は、前側部分２０に支持されたアタッチメント部材４４と協働するようになっている。これらのアタッチメント部材４４、６２は、部分２０と部分２２が互いに可逆的に固く接続されることを可能にしている。
【００５５】
それゆえ、部分２０と部分２２は、例えば取り外し可能な要素６の内部を視覚的に検査するために、作業者によって容易に互いに分離することができ、そして、それらは同じように容易に共に組み立て直すことができる。これは取り外し可能な要素６と電気装置２のメンテナンスを容易にする。
【００５６】
例えば、部材４４と部材６２は、スナップ留めによって取り付け可能である。ここで部材４４は、開口のような雌部材である。一方、部材６２は、ここでは底板５０に単一部品として形成された、変形可能なフックのような雄部材である。変形例として、部材４４と部材６２は、それぞれ雄部材と雌部材であってもよい。
【００５７】
本実施例では、また後側部分２２は、案内部６４を含む。案内部６４は、可動ブリッジ５４が移動の方向Ｘ’に沿って並進移動することを可能にする。
【００５８】
ここで案内部６４は、後側部分２２の側壁６６と同じ高さで形成されている。ここで側壁６６は、Ｘ’軸とＺ’軸とに平行な方向に沿って可動接点ホルダ５４のいずれかの側に延在している。
【００５９】
組立形態において、側壁６６は、側部空間４６に収納されている。それゆえ、側壁６６と側部空間４６の形状は相補的になるように選択されていると理解される。
【００６０】
ここで側面壁６６は、平坦な形状であり、Ｘ’軸に沿って延在しガイドレールを形成する長方形開口６８、または窓６８を含む。開口６８は、所定の行程でＸ’軸に沿った可動接点ホルダ５４の移動を制限する停止端を形成するエッジ７０によって画定される。
【００６１】
相補的に、可動接点ホルダ５４は、開口６８内に収納されたフック７２を含む。これらのフック７２は、例えば開口６８へのそれらの挿入を容易にするようになっている傾斜エッジ７３を含む。
【００６２】
また底板５０は、遮断ガスを取り除くためのチャネル７４を含む。チャネル７４の機能は、遮断ガスが冷却されることを可能にするとともに、それらが取り外し可能な要素６の外へ搬送されることを可能にすることである。
【００６３】
知られた態様では、電気接点３４と電気接点３６が電流の存在下で分離されたとき、周囲空気をイオン化する電気アークが現れ、遮断ガスを発生させる。遮断ガスの温度は高く、好ましくは、アセンブリ６から吐き出される前に冷却されるべきである。具体的には、この遮断ガスは熱いときに導電性がある。十分に冷却されずに取り外し可能な要素６から吐き出されると、装置２の接続ランド間で電流のループバック、すなわち短絡のおそれがある。それは危険であり明らかに望ましくない。
【００６４】
それゆえ、第２の底板５０は、有利には、遮断ガスを取り除くための少なくとも１つのチャネル７４を含む。チャネル７４は、前側部分２０の内部した入口開口を、ハウジングの外部と連通した出口開口に流体的に接続する。ここで前側部分２０の内部は、背面５２に背を向けた底板５０の表面に対応する。すなわち、それらは、アセンブリ６が組立形態のときに前側部分２０に対向している。
【００６５】
この除去チャネル７４は、その冷却を促進するように遮断ガスの経路を延長するようになっているバフリング（ｂａｆｆｌｉｎｇ、不図示）を含んでいてもよい。
【００６６】
例えば、チャネル７４は、底板５０の外面と連通している。底板５０は、後に説明されるように、このチャネル７４の１つ以上の入口開口を含む。
【００６７】
また後側部分２２は、絶縁壁８０を含む。これらの壁８０は、ここでは方向Ｘ’に、底板５０から延在する。これらの絶縁壁８０は、電気接点３６を少なくとも部分的に囲む。本実施例では、絶縁壁８０は２つを数え、各々が可動接点３６のうちの１つを囲んでいる。ここで絶縁壁８０は、可動ブリッジ５４のいずれかの側に位置している。本実施例では、壁８０は同一であり、可動ブリッジ５４に対して対称的に位置している。
【００６８】
各絶縁壁８０は、対応する可動接点３６の周囲に消弧室を形成する容積を画定する。好ましくは、Ｘ’軸に平行に測定される絶縁壁８０の高さは、Ｘ’軸に沿った可動ブリッジ５４の行程以上である。
【００６９】
ここで除去チャネル７４は、これらの消弧室の各々における入口開口を含む。変形例として、また底板５０は、各々が消弧室の１つのみと関連付けられた１つの入口開口を有する複数のチャネル７４を含んでいてもよい。
【００７０】
図４および図５に図示されるように、ここでは各絶縁壁８０は、底板５０に取り付けられた“ブロー部品”と称される、部品８２によって少なくとも部分的に形成されている。本実施例では、これらの絶縁壁８０を参照して記述されたものが部品８２にも適用されるように、底壁８０は部品８２によって完全に形成されている。
【００７１】
ブロー部品８２は、例えば強磁性材料のような磁性材料で作製されており、その機能は、対応する可動接点３６と同じ高さを形成する電気アークのブロー、すなわち消滅を促進することである。部品８２は、消弧室の特定の領域に向けて電気アークを案内する磁場を発生する。
【００７２】
ここで各ブロー部品８２は、Ｕ字の形状をしている。より具体的には、ここではこの部品８２のベースがＵ字の形状をしており、部品８２は、Ｘ’軸に平行にこのベースから並進して延在している。部品８２は、対応する可動接点３６のいずれかの側に位置付けられた２つの両側の同一の側面隔壁を含む。側面隔壁は、Ｙ’軸に直交しかつＸ’軸とＺ’軸とに平行に、それゆえ底板５０に直交して延在する。これらの側面隔壁は、Ｘ’軸に平行に立ち上り、部品８２のＵ字形状の底８３を形成する湾曲した隔壁によって互いに接続されている。また側面隔壁は、末端エッジを含んでおり、末端エッジは、湾曲した隔壁とは反対側に配置され、Ｘ’軸に平行に延在する。後では、部品８２の側面隔壁の“末端エッジ”は、対応する遮断壁８０の末端エッジに対応する。
【００７３】
また取り外し可能な要素６のハウジングは、保護壁８４を含む。保護壁８４は、ここでは両側の側面隔壁と同じ高さにある、絶縁壁８０の内面を少なくとも部分的に覆う。“内面”という用語は、対応する可動接点３６に対向した絶縁壁８０の面を称している。ここではこれらの内面は、部品８２の側面隔壁の内面に対応する。
【００７４】
好ましくは、これらの壁８４は、壁８０の高さ全体に渡って延在する。ここで、この高さは、Ｘ’軸に沿って規定される。
【００７５】
これらの保護壁は、特に絶縁壁を、それゆえ部品８２を、電気アークによって引き起こされる損傷から保護することに役立つ。
【００７６】
保護壁８４は、底板５０と共に単一部品として形成されている。例えば、それらは、モールディングによって作製された全く同一の部品である。
【００７７】
図示による本実施例では、保護壁８４は、部品８２の各側面隔壁に沿って延在する。それゆえ、ここでは部分２２は、４つの壁８４を含んでいる。
【００７８】
好ましくは、保護壁８４は、ガス発生材料で作製されている。“ガス発生材料”という用語は、この材料が例えば８００℃以上の高い温度まで上昇したときに、水素のような冷却ガスを発生させる材料を称している。ガス発生材料によって発生した冷却ガスは、電気アークの消滅を促進する。ここではガス発生材料は、ポリアミド、例えばポリアミドＰＡ６.６、のような、好ましくはガラス繊維の豊富な、合成材料である。
【００７９】
有利には、保護壁８４は、高さ全体に渡って絶縁壁８０の末端エッジを覆い囲む折り重ねエッジ８６を含む。より具体的には、各エッジ８６は、対応する壁８４と共に単一部品として形成され、この絶縁壁８０の外面の一部を覆うように、側面隔壁に対して折り返された延長部分として、側面隔壁の内面を越えて延在する。本実施例では、末端エッジはＸ’軸に平行に延在しているので、このとき折り重ねエッジ８６は、Ｘ’軸に平行な方向の周りでこれらのエッジを囲んでいる。
【００８０】
折り重ねエッジ８６は、保護壁８４の有効性を改善する。特に、それらは遮断ガスに対する気密性を更に改善する。
【００８１】
保護壁８４を底板５０と共に単一部品として形成することによって、これらの保護壁８４の気密性が、絶縁壁８０の気密性と同様、特に取付部品８２と底板５０との間の接合と同じ水準に改善される。このようにして、冷却されていない遮断ガスが消弧室から漏れ出て装置２中に広がるおそれが制限される。逆に、この改善された気密性のおかげで、遮断ガスは除去チャネル７４を介して取り除かれ、それゆえより冷却される。これは、取り外し可能な要素６の外部への電流のループバックのおそれを制限する。装置２の安全性と信頼性は、それゆえ改善される。
【００８２】
この設計は、ハウジング部分２０、２２が互いに分離可能であるときに特に有利である。具体的には、このような分離性は取り外し可能な要素６に構造的な制約を加え、それによってハウジングの気密性を低下させる。それゆえ、このような保護壁８４の利用が、取り外し可能な要素６が、遮断ガスが漏れ出すおそれを増大させるように開かれる可能性がなく、可逆的に開かれることを可能にする。
【００８３】
保護壁８４は底板５０と共に単一部品として形成されるので、それらは底板５０と同時に、例えば全く同一のモールディング作業において作製される。それゆえ、後側部分２２は、それらの保護壁８４が底板５０に追加部品を取り付けることによって生産されるよりも、より簡単に作製される。それゆえ、取り外し可能な要素６は、産業規模でより簡単に製造される。
【００８４】
上記で検討された実施形態と変形例は、新しい実施形態を創作するように互いに組み合わされてもよい。
【図１】
2018195579.tif 000003
【図２】
2018195579.tif 000004
【図３】
2018195579.tif 000005
【図４】
2018195579.tif 000006
【図５】
2018195579.tif 000007
【外国語明細書】
2018195579000001.pdf